(57)【要約】  【課題】  導光する光が分岐して出射されるとともに視認性を向上することのできる表示装置を提供する。  【解決手段】  光源８８と、光源８８に対向して背面側に配される入射面８２と、前面側に設けられる出射面８５と、入射面８２に対して傾斜して入射８２面から入射した光を反射する第１反射面８３と、出射面８５に対向して配されるとともに第１反射面８３で反射した光を反射して出射面８５に導く第２反射面８４とを有して光源８８の前方に配される表示板８１とを備え、表示板８１は開口部８６を有して第１反射面８３と第２反射面８４との間を導光する光が出射面８５に略平行な面内で分岐するとともに、第１反射面８３は反射光が出射面８５に略平行な面内で放射する曲面から成る。【選択図】      図４
2006058634.tif 000002
【特許請求の範囲】
【請求項１】
光源と、
前記光源に対向して背面側に配される入射面と、前面側に設けられる出射面と、前記入射面に対して傾斜して前記入射面から入射した光を反射する第１反射面と、前記出射面に対向して配されるとともに第１反射面で反射した光を反射して前記出射面に導く第２反射面とを有して前記光源の前方に配される表示板と、
を備えた表示装置において、
前記表示板は第１反射面と第２反射面との間を導光する光が前記出射面に略平行な面内で分岐するとともに、第１反射面は反射光が前記出射面に略平行な面内で放射する曲面から成ることを特徴とする表示装置。
【請求項２】
第１反射面が凹状の円筒面から成ることを特徴とする請求項１に記載の表示装置。
【請求項３】
第２反射面が前記出射面に対して傾斜することを特徴とする請求項１または請求項２に記載の表示装置。
【請求項４】
前記入射面が前記光源を覆う曲面から成ることを特徴とする請求項１〜請求項３のいずれかに記載の表示装置。
【請求項５】
前記表示板は前記出射面で周囲を囲まれた開口部を有し、前記光源、前記入射面及び第１反射面を前記開口部の両端に設けたことを特徴とする請求項１〜請求項４のいずれかに記載の表示装置。
【発明の詳細な説明】
【技術分野】
【０００１】
本発明は、光源から入射した光を導光して出射する表示板を備えた表示装置に関し、特に、導光する光が分岐して出射される表示装置に関する。
【背景技術】
【０００２】
従来の表示装置は特許文献１に開示されている。この表示装置は表示パネルの後方に配される導光板と、導光板の側方に配される光源とを有している。導光板は表示パネルに対向する出射面と、出射面に対して傾斜して対向する反射面を有している。光源の出射光は導光板の側方から入射し、出射面及び反射面で反射して導光する。そして、臨界角を超えた光が出射面から出射して表示パネルを透過する。これにより、表示パネルが光って表示を行うとともに表示装置の後方のスペースを有効利用することができる。
【特許文献１】実開平６−３６００１号公報
【発明の開示】
【発明が解決しようとする課題】
【０００３】
上記特許文献１に開示された表示装置によると、表示装置の後方に配される電子部品と光源とが別々の基板や立体的に折曲された基板上に実装される。このため、表示装置を搭載した電子機器の構成が複雑になるとともにデッドスペースが生じる問題があった。
【０００４】
この問題を解決するために、特願２００３−３６３４５３号には出射面の端部の後方に光源を配置した表示装置が記載されている。この表示装置は、光を導光するとともに前面に設けられる出射面から光を出射して表示を行う表示板を有している。表示板の端部の背面側には光源の出射光が入射する入射面が形成され、入射面に対向して傾斜する第１反射面を有している。また、表示板には出射面に対向して傾斜する第２反射面が形成される。
【０００５】
入射面から入射した光は第１反射面で反射し、出射面及び第２反射面で反射して導光する。そして、臨界角を超えた光が出射面から出射される。これにより、表示板が光って表示を行い、光源と同じ基板上に実装される電子部品を出射面の後方に配置して表示装置を搭載した電気機器の構成を簡素化できるとともにデッドスペースを削減できる。
【０００６】
しかしながら、上記の特願２００３−３６３４５３号に記載された表示装置によると、空気清浄機の吹出口等の開口部の周囲に表示板を配置した場合に、第１反射面で反射して導光する光が開口部で遮られる。このため、端部に配される光源から離れた位置まで光を導光することができず表示板の視認性が悪い問題があった。また、表示板が第１反射面と第２反射面との間でＵ字型に分岐する表示装置においても同様に光源から離れた位置まで光を導光することができない問題がある。
【０００７】
本発明は、表示板を導光する光が分岐して出射されるとともに視認性を向上することのできる表示装置を提供することを目的とする。
【課題を解決するための手段】
【０００８】
上記目的を達成するために本発明は、
光源と、
前記光源に対向して背面側に配される入射面と、前面側に設けられる出射面と、前記入射面に対して傾斜して前記入射面から入射した光を反射する第１反射面と、前記出射面に対向して配されるとともに第１反射面で反射した光を反射して前記出射面に導く第２反射面とを有して前記光源の前方に配される表示板と、
を備えた表示装置において、
前記表示板は第１反射面と第２反射面との間を導光する光が前記出射面に略平行な面内で分岐するとともに、第１反射面は反射光が前記出射面に略平行な面内で放射する曲面から成ることを特徴としている。
【０００９】
この構成によると、光源の出射光は入射面から入射して第１反射面で反射し、出射面及び第２反射面で反射しながら導光する。そして、臨界角を超えた光が出射面から出射される。第１反射面は曲面から成り、第１反射面で反射光が放射状に広がって分岐した表示板の第２反射面に導かれる。
【００１０】
また本発明は、上記構成の表示装置において、第１反射面が凹状の円筒面から成ることを特徴としている。
【００１１】
また本発明は、上記構成の表示装置において、第２反射面が前記出射面に対して傾斜することを特徴としている。この構成によると、第１反射面の反射光が第２反射面で反射して出射面から出射される。
【００１２】
また本発明は、上記構成の表示装置において、前記入射面が前記光源を覆う曲面から成ることを特徴としている。
【００１３】
また本発明は、上記構成の表示装置において、前記表示板は前記出射面で周囲を囲まれた開口部を有し、前記開口部の両端に前記光源を配置するとともに前記入射面及び第１反射面を設けたことを特徴としている。この構成によると、両端に配された光源の出射光はそれぞれ両端の入射面から入射して第１反射面で反射し、開口部の周囲を分岐して導光する。
【発明の効果】
【００１４】
本発明によると、表示板は第１反射面と第２反射面との間を導光する光が出射面に略平行な面内で分岐するとともに、第１反射面は反射光が出射面に略平行な面内で放射する曲面から成るので、第１反射面の反射光が放射状に広がって第２反射面に導かれる。従って、分岐によって遮られる光を低減して表示装置の視認性を向上することができる。
【００１５】
また本発明によると、第１反射面が凹状の円筒面から成るので、第１反射面の反射光が放射状に広がって分岐する表示装置を簡単に実現することができる。
【００１６】
また本発明によると、第２反射面が出射面に対して傾斜するので、第２反射面及び出射面の反射回数を減らし、導波のロスを低減して照射効率を向上することができる。
【００１７】
また本発明によると、入射面が光源を覆う曲面から成るので、光源の出射光を漏らさず入射面から表示板に取り込んで表示装置の照射効率を向上することができる。
【００１８】
また本発明によると、表示板は出射面で周囲を囲まれた開口部を有し、開口部の両端に光源を配置するとともに入射面及び第１反射面を設けたので、空気清浄機の吹出口等の周囲に表示板を配置し、開口部により遮られる光を低減して表示装置の視認性を向上することができる。
【発明を実施するための最良の形態】
【００１９】
以下に本発明の実施形態を図面を参照して説明する。図１は一実施形態の表示装置を備えた空気清浄機を示す斜視図である。空気清浄機１はベース１１の支持により本体部１０が立設されている。本体部１０の前面は前面パネル１２により覆われている。前面パネル１２には室内の空気を取り込む吸気口１３が設けられるとともに、本体部１０と前面パネル１２との隙間により側面吸気口１４が形成されている。本体部１０の上部にはユーザ操作を行う操作パネル１５が設けられる。また、本体部１０の上部に設けられる吹出口３０の周囲には、空気清浄機１の状態に応じた光を出射して空気清浄機１の状態を報知する表示装置８０が設けられている。
【００２０】
図２は空気清浄機１の前面パネル１２を取り外した状態を示す側面断面図である。本体部１０内には軸方向に吸気して周方向に排気する送風機２５が設けられる。送風機２５は吸気側が吸気口１３に面して配され、通気口２７を有する通気パネル２８により前面が覆われる。通気パネル２８によって本体部１０の後部には上下に延びる通風路３１が形成される。通風路３１は上方に向けて開口する吹出口２９が設けられるとともに、斜め上方に屈曲して前方に開口する吹出口３０が設けられる。これにより、送風機２５の排気が吹出口２９、３０に導かれる。
【００２１】
送風機２５と吹出口２９との間にはイオン発生装置２６が設けられている。図３に示すように、イオン発生装置２６は高電圧の印加によりイオンを発生するイオン発生面２６ａを有している。
【００２２】
イオン発生装置２６のイオン発生面２６ａには交流波形またはインパルス波形から成る電圧が印加される。イオン発生面２６ａの印加電圧が正電圧の場合は主としてＨ+（Ｈ2Ｏ）nから成るプラスイオンを発生し、負電圧の場合は主としてＯ2-（Ｈ2Ｏ）mから成るマイナスイオンを発生する。ここで、ｎ、ｍは整数である。Ｈ+（Ｈ2Ｏ）n及びＯ2-（Ｈ2Ｏ）mは空気中の浮遊菌や臭気成分の表面で凝集してこれらを取り囲む。
【００２３】
そして、式（１）〜（３）に示すように、衝突により活性種である［・ＯＨ］（水酸基ラジカル）やＨ2Ｏ2（過酸化水素）を微生物等の表面上で凝集生成して浮遊菌等を破壊する。ここで、ｎ’、ｍ’は整数である。従って、プラスイオン及びマイナスイオンを発生して吹出口２９、３０から送出することにより室内の殺菌及び臭い除去を行うことができる。尚、ダンパー(不図示)によって吹出口２９、３０の一方または両方を選択して空気を送出することができる。
【００２４】
Ｈ+（Ｈ2Ｏ）n＋Ｏ2-（Ｈ2Ｏ）m→・ＯＨ＋1/2Ｏ2＋（ｎ＋ｍ）Ｈ2Ｏ  ・・・（１）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →2・ＯＨ＋Ｏ2＋（ｎ＋ｎ’＋ｍ＋ｍ’）Ｈ2Ｏ  ・・・（２）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →Ｈ2Ｏ2＋Ｏ2＋（ｎ＋ｎ’＋ｍ＋ｍ’）Ｈ2Ｏ  ・・・（３）
【００２５】
前面パネル１２と通気パネル２８との間には空気清浄用フィルターユニット２０及び加湿部２１が配される。吸気口１３(図１参照)に面して配される空気清浄用フィルターユニット２０は、空気清浄機に組み込むものとして設計されている。
【００２６】
空気清浄用フィルターユニット２０は空気の吸込み側から順にプレフィルター、脱臭フィルター、集塵フィルター（いずれも不図示）の３種類のフィルターが配設されている。プレフィルターは吸気中の大きな塵埃を捕集する。脱臭フィルター空気内の臭気成分を吸着して空気を脱臭する。集塵フィルターはＨＥＰＡフィルターから成り、微細な塵埃を捕集する。
【００２７】
空気清浄用フィルターユニット２０と通気パネル２８との間には所定幅の空間部３２が形成されている。空間部３２を設けることにより空気清浄用フィルターユニット２０を通過した空気が通気口２７にスムーズに流入し、圧力損失及び騒音を低減できるようになっている。加湿部２１は空間部３２の下部に配置されている。
【００２８】
加湿部２１は加湿フィルター２２、トレイ２３及び水タンク２４（図１参照）により構成されている。水タンク２４は加湿用の水が貯水され、本体部１０の側部に立設されている。水タンク２４から給水されるトレイ２３には上面の後部に開口部（不図示）が設けられ、加湿フィルター２２が挿入されている。加湿フィルター２２は吸水性を有する吸水材から成り、トレイ２３内の水を吸い上げて保水する。
【００２９】
図４、図５、図６はそれぞれ表示装置８０の正面図、底面断面図及び側面図を示している。表示装置８０は表示板８１及び光源８８から成っている。光源８８は青色と緑色を発光する二色ＬＥＤから成り、表示板８０の両端の後方に配置される。表示板８０はポリカーボネート等の樹脂成形品から成り、中央部には横方向に延びる開口部８６を有している。開口部８６により吹出口３０（図１参照）が構成され、開口部８６の周囲に出射面８５が設けられる。
【００３０】
表示板８１の両端の背面側は光源８８に対向する入射面８２が設けられ、入射面８２に対向する前面側には、出射面８５に連続して傾斜する第１反射面８３が形成される。出射面８５に対向する背面側には出射面８５に対して傾斜した第２反射面８４が形成されている。第２反射面８４はシボ加工等により光を拡散する拡散面に形成されている。
【００３１】
光源８８から出射した光は入射面８２から矢印Ｄ１に示すように表示板８１に入射し、第１反射面８３で矢印Ｄ２に示すように第２反射面８４の方向に反射する。第１反射面８３の反射光は第２反射面８４及び出射面８５を反射して導光する。そして、第２反射面８４で反射して臨界角を超えた光が矢印Ｄ３に示すように出射面８５から出射される。
【００３２】
第２反射面８４が傾斜面から成るとともに拡散面から成るため、第１反射面８３の反射した光の大部分は反射を繰り返すことなく第２反射面８４で反射して出射面８５から出射される。これにより、導波のロスを低減して照射効率を向上することができる。また、図８に示すように、光源８８を覆う曲面８９により入射面８２を形成すると、より多くの光源８８の出射光を表示板８１に取り込んで更に照射効率を向上することができる。
【００３３】
図７は図５のＢ矢視図を示しており、表示板８１を第１反射面８３と平行な方向から見た図である。同図に示すように、第１反射面８３は凹状の円筒面から成っている。これにより、第１反射面８３に到達した光は図４の矢印Ｄ４に示すように出射面８５に平行な面内で放射状に反射するようになっている。
【００３４】
上記構成の空気調和機１において、送風機２５が駆動されると吸気口１３から本体部１０内に室内の空気が取り込まれる。吸気口１３から取り込まれた空気は矢印Ａ（図２参照）に示すように空気清浄用フィルターユニット２０を通過して塵埃が捕集され、ウィルスやアレルゲンが不活化される。空気清浄用フィルターユニット２０を通過した空気は通気口２７を介して通風路３１に流入する。
【００３５】
また、空気清浄用フィルターユニット２０を通過した下方の空気は加湿フィルター２２に衝突し、背面側が遮蔽されるため吸水材の折曲された壁面に沿って矢印Ｂ（図２参照）に示すように空気通路２２ｃ内を下方から上方に向かって上昇する。この時、加湿フィルター２２に保水された水分が気化して空気通路２２ｃを流通する空気内に取り込まれ、加湿された空気が通気口２７を介して通風路３１に流入する。通風路３１を流通する空気は、イオン発生装置２６から放出されるイオンと水分子とが空気清浄機１の本体内で混合される。これにより、水分子がイオンを取り囲んだ状態で、本体の吹出口２９、３０から室内に送出される。
【００３６】
イオン発生装置２６によりプラスイオンとマイナスイオンとが発生する際には、表示装置８０の光源８８が青色に発光し、吹出口３０の周囲の出射面８５から青色光が出射される。イオン発生装置２６によりマイナスイオンのみが発生する際には、表示装置８０の光源８８が緑色に発光し、吹出口３０の周囲の出射面８５から緑色光が出射される。これにより、イオンの送出状態が報知される。
【００３７】
室内に送出されるイオンは水分子により周囲が取り囲まれる。この時、加湿部２１による空気の加湿を行わない場合は粒子径が２〜３ｎｍと推定されるが、加湿部２１による加湿を行うと水分子の数が増加して粒子径が約１８ｎｍになると推定される。このため、空気中のカビ菌やウィルス等の浮遊菌とイオンとが衝突する度合が高くなる。また、空気中の塵埃にイオンが衝突した際に、イオンは水分子に保護され消滅が低減される。従って、プラスイオンとマイナスイオンを室内に送出することによって室内の浮遊菌を迅速に除去することができる。
【００３８】
また、マイナスイオンのみを室内に送出する際も同様にイオンが水分に取り囲まれ、塵埃との衝突によるイオンの消滅が低減される。従って、リラクゼーション効果を効率よく迅速に得ることができる。
【００３９】
更に、衣類、カーテン、ソファー等の繊維とイオンが衝突した際に、イオンは水分子に取り囲まれているために保護された状態となり、イオンの消滅が低減される。従って、繊維内の奥深くに水分子に囲まれたプラスイオン及びマイナスイオンが進入して、繊維に付着した臭気成分を取り囲んで破壊し、臭いを迅速に効率よく除去することができる。
【００４０】
本実施形態によると、表示装置８０の第１反射面８３が曲面から成るので、第１反射面８３の反射光は放射状に反射して出射面８５に平行な面内で開口部８６に沿って分岐する。従って、開口部８６で遮られずに出射面８５の左右方向の中央部まで到達する光を増加させることができ、表示装置８０の視認性が向上する。尚、出射面８５が開口部８６の周囲に設けられているが、出射面８５が第１反射面８３の後段で分岐してＵ字状に形成された表示板であってもよい。これにより、Ｕ字の両端部まで光を到達させて表示装置８０の視認性を向上することができる。
【産業上の利用可能性】
【００４１】
本発明によると、光を出射して情報を報知する表示装置に利用することができ、開口部の周囲に表示装置を配した空気清浄機等に利用することができる。
【図面の簡単な説明】
【００４２】
【図１】本発明の実施形態の空気清浄機を示す斜視図
【図２】本発明の実施形態の空気清浄機を示す側面断面図
【図３】本発明の実施形態の空気清浄機のイオン発生装置を示す斜視図
【図４】本発明の実施形態の空気清浄機の表示装置を示す正面図
【図５】本発明の実施形態の空気清浄機の表示装置を示す底面断面図
【図６】本発明の実施形態の空気清浄機の表示装置を示す側面図
【図７】図５のＢ矢視図
【図８】本発明の実施形態の空気清浄機の表示装置の他の態様を示す側面図
【符号の説明】
【００４３】
１    空気清浄機
１０    本体部
１２    前面パネル
１３    吸気口
１４    側面吸気口
１５    操作パネル
２０    空気清浄用フィルターユニット
２１    加湿部
２２    加湿フィルター
２３    トレイ
２５    送風機
２６    イオン発生装置
２７    通気口
２８    通気パネル
２９、３０  吹出口
３１    通気路
３２    空間部
８０    表示装置
８１    表示板
８２    入射面
８３    第１反射面
８４    第２反射面
８５    出射面
８８    光源
【図１】
2006058634.tif 000003
【図２】
2006058634.tif 000004
【図３】
2006058634.tif 000005
【図４】
2006058634.tif 000006
【図５】
2006058634.tif 000007
【図６】
2006058634.tif 000008
【図７】
2006058634.tif 000009
【図８】
2006058634.tif 000010